(57)【要約】【課題】共振周波数の通過を回避し、素子の過酷負担の弊害を除く。【解決手段】周波数検知回路９０により点灯周波数Ｆを検知し、管電圧検知回路８０によって放電灯３４寿命末期時及び放電灯３４を外した時の異常電圧を検知する。これらの信号を受けて周波数制御回路７０によって点灯周波数Ｆに応じて周波数のシフト方向を変える制御を行つたものである。これにより、共振周波数ＦＯの通過を回避し、各素子の過酷負担の弊害を除く。【選択図】      図１
2004221039.tif 000002
【特許請求の範囲】
【請求項１】
直流電源をを備え、前記直流電源に接続される順直列一対の第一スイッチング素子、第二スイッチング素子を備え、前記接続交点に接続されるバラスト用インダクタと共振用コンデンサからなる直列共振回路を備え、前記共振用コンデンサに並列接続される放電灯を備え、前記第二スイッチング素子と並列に一次側巻線が接続される予熱用トランスを備え、前記予熱用トランスの二次側巻線は前記政電灯の各フィラメント両端に接続され、前記第一スイッチング素子と第二スイッチング素子を交互にオン・オフさせる発振回路を備え、前記発振回路には発振周波数を連続的に可変する連続調光制御回路が接続され、前記放電灯の管電圧を検知する管電圧検知回路を備え、発振周波数を検知する周波数検知回路を備え、前記管電圧検知回路・周波数検知回路の信号を受け発振周波数をシフトさせる制御を行う周波数制御回路を備えたことを特徴とする放電灯点灯装置。
【発明の詳細な説明】
【０００１】
【発明の属する技術分野】
本発明はインダクタとコンデンサの共振回路及び予熱用トランスを利用した連続調光形放電灯点灯装置に関するものである。
【０００２】
【従来の技術】
図３は従来の放電灯点灯装置、図４はバラスト用インダクタ３１と共振用コンデンサ３２の共振波形を示し、横軸が周波数、縦軸が電圧である。これらの図について説明する。図３装置は直流電源１０に接続される順直列一対の第一スイッチング素子２１、第二スイッチング素子２２を備える。各スイッチング素子２１・２２の接続交点に接続されるバラスト用インダクタ３１と共振用コンデンサ３２及びコンデンサ３３からなる直列共振回路を備える。共振用コンデンサ３２に並列接続される放電灯３４を備える。第二スイッチング素子２２と並列に一次巻線が接続される予熱用トランス４０を備える。予熱用トランス４０の二次巻線は放電灯３４の各フィラメント両端に接続される。各スイッチング素子２１・２２を交互にオン・オフさせる発振回路５０を備える。発振回路５０には発振周波数を連続的に可変する連続調光制御回路６０が接続される。さらに放電灯３４の管電圧を検知する管電圧検知回路８０を備え、前記管電圧検知回路８０の信号を受け発振周波数をシフトさせる制御を行う周波数制御回路７０が前記発振回路５０に接続される。
この回路において、故電灯３４寿命末期時及び点灯状態から放電灯３４を外した場合、共振用コンデンサ３２両端にはバラスト用インダクタ３１と共振用コンデンサ３２の共振電圧が発生する。また、図３（Ｂ）のように共振用コンデンサ３２を放電灯３４のフィラメントを介して接続したとしても、放電灯３４を外した場合、予熱用トランス４０の二次側巻線を介してバラスト用インダクタ３１と共振用コンデンサ３２の開回路となるため、共振用コンデンサ３２の両端には共振電圧が発生する。
この場合、管電圧検知回路８０が異常電圧を検知して保護動作を働かせているが、急に発振を停止させると過渡的に高電圧が発生するなど不具合が生じる場合があるので、図４に示すように周波数制御回路７０により点灯周波数Ｆから保護周波数Ｆ１まで周波数をシフトしてから発振を停止させる制御を行い高電圧の発生を抑え保護している。
【０００３】
【発明が解決しようとする課題】
図３装置は、点灯周波数Ｆが共振周波数ＦＯより低い場合、保護動作時に点灯周波数Ｆから保護周波数Ｆ１まで周波数がシフトして行く過程において共振周波数ＦＯを通過するため過渡的に高電圧が発生し、各素子の損失が増大してしまう。
本発明の目的は、保護動作時の共振周波数Ｆ  Ｏの通過を回避し、高電圧の発生を防止して素子の過酷負担の弊害を除くことである。
【０００４】
【課題を解決するための手段】
本発明は、点灯周波数Ｆを検知する周波数検知回路を付加することにより、点灯周波数Ｆが共振周波数ＦＯより高い場合は、点灯周波数Ｆより高い保護周波数Ｆ１まで周波数をシフトさせ、点灯周波数Ｆが共振周波数ＦＯより低い場合は、点灯周波数Ｆより低い保護周波数Ｆ１まで周波数をシフトさせることにより共振周波数ＦＯの通過を回避する。
【０００５】
【発明の実施の形態】
図を用いて本発明の実施形態について説明する。図１は本発明の放電灯点灯装置、図２はバラスト用インダクタ３１と共振用コンデンサ３２の共振波形を示し、横軸が周波数、縦軸が電圧である。図１の装置は、直流電源１０に接続される順直列一対の第一スイッチング素子２１、第二スイッチング素子２２を備える。各スイッチング素子２１・２２の接続交点に接続されるバラスト用インダクタ３１と共振用コンデンサ３２及びコンデンサ３３からなる直列共振回路を備える。共振用コンデンサ３２に並列接続される放電灯３４を備える。第二スイッチング素子２２と並列に一次巻線が接続される予熱用トランス４０を備える。予熱用トランス４０の二次巻線は放電灯３４の各フィラメント両端に接続される。各スイッチング素子２１・２２を交互にオン・オフさせる発振回路５０を備える。発振回路５０には発振周波数を連続的に可変する連続調光制御回路６０が接続される。
さらに前記放電灯の管電圧を検知する管電圧検知回路８０を備え、発振周波数を検知する周波数検知回路９０を備え、前記管電圧検知回路８０、周波数検知回路９０の信号を受け発振周波数をシフトさせる制御を行う周波数制御回路７０が前記発振回路５０に接続される。
【０００６】
この回路において、放電灯３４寿命末期時及び放電灯３４を外した時などの異常電圧が発生した場合の保護動作について説明する。保護動作は急に発振を停止させると、過渡的に高電圧が発生するなどの不具合が生じる場合があるので周波数をシフトさせて行っている。その動作は周波数検知回路９０により点灯周波数Ｆが共振周波数ＦＯより低いか、高いかを判別して周波数制御回路７０に信号を送り、さらに管電圧検知回路８０が異常電圧を検知すると周波数制御回路７０に信号を送る。
すると周波数制御回路７０は図２に示すように点灯周波数Ｆが共振周波数ＦＯより低い場合は、点灯周波数Ｆより低い保護周波数Ｆ１まで周波数をシフトし、点灯周波数Ｆが共振周波数ＦＯより高い場合は、点灯周波数Ｆより高い保護周波数Ｆ１まで周波数をシフトさせてから発振を停止させる制御を行う。
このため、点灯周波数Ｆから保護周波数Ｆ１まで周波数をシフトさせる保護方式としても点灯周波数Ｆに関わらず共振周波数ＦＯを通過することを回避できる。
【０００７】
【発明の効果】
本発明は周波数検知回路９０により点灯周波数Ｆを検知し、この信号を受けて周波数制御回路７０によって点灯周波数Ｆ  に応じて周波数のシフト方向を変える制御を行ったものである。これによれば、共振周波数ＦＯの通過を回避し、各素子の過酷負担の弊害を除くことができる
【図面の簡単な説明】
【図１】本発明に係る放電灯点灯装置の回路図である。
【図２】そのインダクタとコンデンサの共振波形を示す図である。
【図３】従来の放電灯点灯装置を示す回路図である。
【図４】インダクタとコンデンサの共振波形を示す図である。
【符号の説明】
１０：直流電源、２１：第一スイッチング素子、２２：第二スイッチング素子、３１：バラスト用インダクタ、３２：共振用コンデンサ、３３：コンデンサ、３４：放電灯、４０：予熱用トランス、５０：制御回路、６０：連続調光制御回路、７０：周波数制御回路、８０：管電圧検知回路、９０：周波数検知回路、
【図１】
2004221039.tif 000003
【図２】
2004221039.tif 000004
【図３】
2004221039.tif 000005
【図４】
2004221039.tif 000006